Podtech/llm-jp-corpus-v4-ja_patent huggingface dataset:
【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
複数のマイクロレンズを配列したマイクロレンズアレイと、
前記複数のマイクロレンズに対して複数の受光素子を有し、光学系からの光束を前記マイクロレンズを介して受光して複数の受光信号を出力する受光素子アレイと、
前記受光信号を得た際の前記光学系による像面のずれ量を検出する検出手段と、
前記検出手段によって検出されたずれ量に基づいて前記複数の受光信号の一部を選択し、選択した該一部の受光信号に基づいて画像信号を生成する画像生成手段とを備えることを特徴とする画像合成装置。
【請求項２】
請求項１に記載の画像合成装置において、
前記光学系による像面内の、前記検出手段によってずれ量を検出する対象とする位置を特定する特定手段を備え、
前記画像生成手段は、前記特定手段によって特定された前記位置に対する前記像面のずれ量に基づいて前記複数の受光信号の一部を選択することを特徴とする画像合成装置。
【請求項３】
請求項２に記載の画像合成装置において、
前記特定手段は、前記光学系による像のうちの特定の像を認識する認識手段を有し、
前記検出手段は、前記認識手段によって認識された像の位置に対する前記像面のずれ量を検出することを特徴とする画像合成装置。
【請求項４】
請求項３に記載の画像合成装置において、
前記認識手段は、認識した前記特定の像に基づいて前記光学系による像面を複数領域に区分し、
前記検出手段は、前記認識手段によって区分された前記領域に対する前記像面のずれ量を検出することを特徴とする画像合成装置。
【請求項５】
請求項４に記載の画像合成装置において、
前記検出手段は、前記認識手段によって区分された前記領域の大きさが前記像面の所定割合以上である場合に、前記領域に対して複数の前記像面のずれ量を検出することを特徴とする画像合成装置。
【請求項６】
請求項１〜５のいずれか一項に記載の画像合成装置と、
前記光学系とを備えることを特徴とする撮像装置。
【請求項７】
請求項６に記載の撮像装置において、
前記検出手段により検出された前記像面のずれ量に基づいて前記光学系の焦点調節を行う焦点調節手段をさらに備え、
前記画像生成手段は、前記焦点調節手段により焦点調節が行われた前記光学系からの光束を受光した前記受光素子アレイにより出力される前記受光信号に基づいて、前記画像信号を生成することを特徴とする撮像装置。
【請求項８】
光学系からの光束を、複数のマイクロレンズに対して配置された複数の受光素子によって受光することにより複数の受光信号を得て、
前記受光信号を得た際の前記光学系による像面のずれ量を検出し、
検出した前記像面のずれ量に基づいて前記複数の受光信号の一部を選択し、該一部の受光信号に基づいて画像信号を生成する画像合成方法。
【請求項９】
請求項８に記載の画像合成方法において、
前記光学系による像面内の、前記像面のずれ量を検出する対象とする位置を特定し、
前記特定された位置に対する前記像面のずれ量に基づいて前記複数の受光信号の一部を選択することを特徴とする画像合成方法。
【請求項１０】
請求項９に記載の画像合成方法において、
前記光学系による像のうちの特定の像を認識することにより、前記像面のずれ量を検出する対象とする位置を特定し、
認識された前記特定の像の位置に対して前記像面のずれ量を検出することを特徴とする画像合成方法。
【手続補正書】
【提出日】平成24年3月21日(2012.3.21)
【手続補正１】
【補正対象書類名】明細書
【補正対象項目名】００１０
【補正方法】変更
【補正の内容】
【００１０】
本発明の画像形成装置は、前記発明の電源装置を備え、前記圧電トランスの出力電圧により駆動され記録媒体に画像を形成することを特徴とする。
【手続補正２】
【補正対象書類名】明細書
【補正対象項目名】００４０
【補正方法】変更
【補正の内容】
【００４０】
ＳＣＬＫ１線は、後述する転送データに同期したクロックをプリンタエンジン制御部６０から高圧制御部１００へ出力するシリアルクロックＳＣＬＫ１の信号線である。ＳＤＩ１線は、高圧制御部１００にデータを入力するシリアルデータインプット信号ＳＤＩ１であって、シリアルクロックＳＣＬＫ１に同期してデータをプリンタエンジン制御部６０から高圧制御部１００へ送信する信号線である。更に、ＳＤＯ１線は、高圧制御部１００からシリアルクロックＳＣＬＫ１に同期して出力されるシリアルデータアウトプット信号ＳＤＯ１であって、シリアルクロックＳＣＬＫ１に同期してデータを送信する信号線である。
【手続補正３】
【補正対象書類名】特許請求の範囲
【補正対象項目名】請求項１５
【補正方法】変更
【補正の内容】
【請求項１５】
出力電圧を出力する電源装置を備え、前記電源電圧により駆動され記録媒体に画像を形成する画像形成装置であって、
前記電源装置は、
クロック信号を発生する発振器と、
前記クロック信号を分周して駆動パルスを出力する分周手段と、
前記駆動パルスにより駆動されるスイッチング手段と、
前記スイッチング手段により１次側に断続的に電圧が印加されると２次側から前記出力電圧を出力する圧電トランスと、
前記圧電トランスの前記出力電圧を所定の電圧値に変換して出力する電圧変換手段と、
前記電圧変換手段の目標電圧値を設定する設定手段と、
前記電圧変換手段の前記目標電圧値と前記電圧変換手段の出力電圧値とを比較して比較結果を出力する比較手段と、
前記電圧変換手段の前記出力電圧値をデジタル値に変換するデジタル変換手段と、
前記駆動パルスの駆動周波数を決定する周波数制御値を制御するスイッチング制御手段と、
前記駆動周波数の初期値を記憶する記憶手段と、
前記駆動周波数に応じた前記周波数制御値と前記デジタル変換手段で変換された前記デジタル値との組合せに応じて前記周波数制御値の可変幅を変更する変更手段とを備え、
前記スイッチング制御手段は、
前記記憶手段に記憶された前記初期値で前記スイッチング手段により前記圧電トランスの駆動を開始させ、前記設定手段により設定された前記目標電圧値となるように前記周波数制御値を所定時間毎に可変し、前記周波数制御値を変更する際に前記可変幅にて前記駆動周波数を決定することを特徴とする画像形成装置。
【手続補正４】
【補正対象書類名】図面
【補正対象項目名】図１
【補正方法】変更
【補正の内容】
【図１】
2011097699.tif 000001
【手続補正５】
【補正対象書類名】図面
【補正対象項目名】図２
【補正方法】変更
【補正の内容】
【図２】
2011097699.tif 000002
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
ナンバープレートを車両に取り付けるためのナンバープレートの取付孔以外の部分に、空気孔が形成されていることを特徴とする空気孔のあるナンバープレート。
【手続補正書】
【提出日】平成23年10月25日(2011.10.25)
【手続補正１】
【補正対象書類名】特許請求の範囲
【補正対象項目名】全文
【補正方法】変更
【補正の内容】
【特許請求の範囲】
【請求項１】
（ｉ）ガストリン１７（Ｇ１７）のＮ末端の、アミノ酸配列ｐＥＧＰＷＬＥ（配列番号５）内のエピトープ、
（ｉｉ）ガストリン１７（Ｇ１７）及びガストリン３４（Ｇ３４）のＣ末端の、アミノ酸配列ＫＫＥＧＰＷＬＥＥＥＥＥＡＹＧＷＭＤＦ−ＮＨ２（配列番号６）内のエピトープ、
（ｉｉｉ）ヒトガストリン３４（Ｇ３４）のＮ末端の、アミノ酸配列ｐＥＬＧＰＱＧ（配列番号７）内のエピトープ、又は、
（ｉｖ）グリシン伸長ガストリン１７（Ｇ１７−Ｇｌｙ）及びグリシン伸長ガストリン３４（Ｇ３４−Ｇｌｙ）のＣ末端の、アミノ酸配列ＹＧＷＭＤＦＧ（配列番号８）内のエピトープ、
において、ガストリンホルモン型に選択的に結合するモノクローナル抗体。
【手続補正書】
【提出日】平成24年10月30日(2012.10.30)
【手続補正１】
【補正対象書類名】特許請求の範囲
【補正対象項目名】全文
【補正方法】変更
【補正の内容】
【特許請求の範囲】
【請求項１】
所定の遊技を実行可能な遊技機であって、
表示状態を変化可能な表示領域を有する表示装置と、
前記表示領域の遊技者側に重なる第１位置と前記表示領域の遊技者側に重ならない第２位置とに変位可能な可動部材を有する可動装置と、
前記表示装置と前記可動装置とを制御して遊技演出を実行する演出制御手段とを備え、
前記演出制御手段は、前記可動部材が前記第１位置のときにも前記表示領域の表示状態を予め定められた演出用表示状態に制御して前記遊技演出を実行し、
前記演出制御手段は、予め定められた複数種類の報知条件のうちいずれかが成立したことを条件として実行中の前記遊技演出を中止させる報知時演出制御手段を含み、
前記報知時演出制御手段は、
前記可動部材が前記第１位置のときに前記報知条件が成立したことを条件として、当該報知条件の種類にかかわらず前記可動部材を前記第２位置に変位させ、
前記報知条件が成立したことを条件として、当該報知条件の種類に応じた報知情報を前記表示領域に表示させることを特徴とする、遊技機。
【手続補正２】
【補正対象書類名】明細書
【補正対象項目名】０００７
【補正方法】変更
【補正の内容】
【０００７】
本発明はかかる実情に鑑み考え出されたものであり、その目的は、表示領域の遊技者側に重なる演出を実行可能な役物が設けられた表示装置において、所定の情報を適切に報知することができる遊技機を提供することである。
【手続補正３】
【補正対象書類名】明細書
【補正対象項目名】０００８
【補正方法】変更
【補正の内容】
【０００８】
（１）  所定の遊技（リール２Ｌ、２Ｃ、２Ｒの回転を開始させた後に表示結果を表示する）を実行可能な遊技機（スロットマシン１）であって、
表示状態を変化可能な表示領域（表示画面）を有する表示装置（液晶表示器５１）と、
前記表示領域の遊技者側に重なる第１位置（重複する位置、たとえば停止基準位置以外の位置）と前記表示領域の遊技者側に重ならない第２位置（重複しない位置、たとえば停止基準位置）とに変位可能な可動部材（演出用扉６０ａ、６０ｂ）を有する可動装置（演出装置５０）と、
前記表示装置と前記可動装置とを制御して遊技演出（液晶表示器５１における表示演出、演出用扉６０ａ、６０ｂを駆動させる駆動演出）を実行する演出制御手段（サブ制御部９１、表示制御部１９１）とを備え、
前記演出制御手段は、前記可動部材が前記第１位置のときにも前記表示領域の表示状態を予め定められた演出用表示状態に制御して前記遊技演出を実行し、
前記演出制御手段は、所定の報知条件が成立したこと（エラー状態の発生、所定時間停止操作されていないこと等）を条件として実行中の前記遊技演出を中止させる報知時演出制御手段を含み、
前記報知時演出制御手段は、
前記可動部材が前記第１位置のときに前記報知条件が成立したことを条件として、前記可動部材を前記第２位置に変位させ（図２３（ｅ）、（ｆ）、図２８のＳｎ５、Ｓｎ３７）、
前記報知条件が成立したことを条件として、当該報知条件に応じた報知情報（エラー報知、促進報知）を前記表示領域に表示させる（図２３（ｅ）、（ｆ）、図２４、図２８のＳｎ６、図３０のＳｍ２９、Ｓｍ３３、Ｓｍ３７）。
【手続補正書】
【提出日】平成24年7月4日(2012.7.4)
【手続補正１】
【補正対象書類名】特許請求の範囲
【補正対象項目名】全文
【補正方法】変更
【補正の内容】
【特許請求の範囲】
【請求項１】
３人以上のｎ人のプレイヤーが参加する得点型のゲームを実行するゲーム装置であって、
前記各プレイヤーの得点に基づくプレイ評価値であるレーティングを計算するための所定の計算式を保持する計算式保持手段と、
ゲームを実行し、前記ｎ人のプレイヤーの得点を算出する対戦結果算出手段と、
ｎ個のレーティングと、前記算出されたｎ個の得点とを記憶する記憶手段と、
前記ｎ個のレーティングの内のk番目のレーティングxkについてレーティング偏差値akを算出し、前記レーティングxkを有していたプレイヤーが新しく獲得した得点Pｋについて得点偏差値bkを算出し、算出したakとbk、および前記保持されている所定の計算式によって新たなレーティングXkを算出する演算手段と、
を有するゲーム装置。
（ただし、ｎは３以上の自然数で、ｋは１以上ｎ以下の自然数を示す。）
【請求項２】
前記記憶手段は、前記ｎ個の得点のそれぞれについて、当該得点を算出する要素に関する値を示すｍ個の得点要素を記憶し、
前記演算手段は、前記得点Pｋの１番目からｍ番目の得点要素のそれぞれに関する得点要素偏差値bk1,…,bkmを算出し、その算出したbk1,…,bkmを前記得点偏差値bkの替わりに用いて新たなレーティングXkを算出することを特徴とする請求項１に記載のゲーム装置。
（ただし、ｍは２以上の自然数を示す。）
【請求項３】
前記記憶手段は、前記得点要素偏差値bk1,…,bkmのそれぞれの重み付けwk1,…,wkmを記憶し、
前記演算手段は、前記wk1,…,wkmで重み付けされた得点要素偏差値wk1×bk1,…,wkm×bkmを用いて新たなレーティングXkを算出することを特徴とする請求項２に記載のゲーム装置。
【請求項４】
３人以上のｎ人のプレイヤーが参加する得点型のゲームを実行するゲーム装置であって、
前記各プレイヤーの得点に基づくプレイ評価値であるレーティングを計算するための下記の計算式（I）を保持する計算式保持手段と、
ゲームを実行し、前記ｎ人のプレイヤーの得点を算出する対戦結果算出手段と、
ｎ個のレーティングと、前記算出されたｎ個の得点とを記憶する記憶手段と、
前記ｎ個のレーティングの内のk番目のレーティングxkについてレーティング偏差値akを算出し、前記レーティングxkを有していたプレイヤーが新しく獲得した得点Pｋについて得点偏差値bkを算出し、前記保持されている計算式（I）によって新たなレーティングXkを算出する演算手段と、
を有するゲーム装置。
Xk=xk+(bk−ak)・・・（Ｉ）
（ただし、ｎは３以上の自然数で、ｋは１以上ｎ以下の自然数を示す。）
【請求項５】
前記記憶手段は、前記ｎ個の得点のそれぞれについて、当該得点を算出する要素に関する値を示すｍ個の得点要素を記憶し、
計算式保持手段は、前記計算式（I）に替えて下記の計算式（II）を保持し、
前記演算手段は、前記得点Pｋの１番目からｍ番目の得点要素のそれぞれに関する得点要素偏差値bk1,…,bkmを算出し、前記保持されている計算式（II）によって新たなレーティングXkを算出することを特徴とする請求項４に記載のゲーム装置。
Xk=xk+(bk1+…+bkm−ak)・・・（II）
（ただし、ｍは２以上の自然数を示す。）
【請求項６】
前記記憶手段は、前記得点要素偏差値bk1,…,bkmのそれぞれの重み付けwk1,…,wkmを記憶し、
計算式保持手段は、前記計算式（II）に替えて下記の計算式（III）を保持し、
前記演算手段は、前記保持されている計算式（III）によって新たなレーティングXkを算出することを特徴とする請求項５に記載のゲーム装置。
Xk=xk+(wk1×bk1+…+wkm×bkm−ak)・・・（III）
【請求項７】
３人以上のｎ人のプレイヤーが参加する得点型のゲームを実行するゲーム装置の動作方法であって、
ゲームを実行し、前記ｎ人のプレイヤーの得点を算出する対戦結果算出ステップと、
ｎ個のレーティングと、前記算出されたｎ個の得点とを記憶する記憶ステップと、
前記ｎ個のレーティングの内のk番目のレーティングxkについてレーティング偏差値akを算出し、前記レーティングxkを有していたプレイヤーが新しく獲得した得点Pｋについて得点偏差値bkを算出し、算出したakとbk、および前記各プレイヤーの得点に基づくプレイ評価値であるレーティングを計算するための所定の計算式によって新たなレーティングXkを算出する演算ステップと、
を実行するゲーム装置の動作方法。
【請求項８】
３人以上のｎ人のプレイヤーが参加する得点型のゲームを実行するゲーム装置に、
ゲームを実行し、前記ｎ人のプレイヤーの得点を算出する対戦結果算出ステップと、
ｎ個のレーティングと、前記算出されたｎ個の得点とを記憶手段に記憶する記憶ステップと、
演算手段によって前記ｎ個のレーティングの内のk番目のレーティングxkについてレーティング偏差値akを算出し、前記レーティングxkを有していたプレイヤーが新しく獲得したPｋについて得点偏差値bkを算出し、算出したakとbk、および前記各プレイヤーの得点に基づくプレイ評価値であるレーティングを計算するための所定の計算式によって新たなレーティングXkを算出する演算ステップと、
を実行させるプログラム。
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
閉鎖状態と開口状態とに切り換え可能な大入賞口と、
特別図柄の変動表示および停止表示が可能な図柄表示装置と、
前記特別図柄の当否判定を行う当否判定手段と、
前記当否判定の結果を受けて前記特別図柄の変動表示を開始する図柄変動開始手段と、
前記図柄表示装置にて変動表示中の特別図柄を、所定の変動時間が経過すると停止表示させる図柄変動停止手段と、
前記当否判定の結果として当りが得られ、この当りに対応する当り図柄として確変当り図柄が前記図柄表示装置に停止表示された場合には、前記大入賞口を所定の態様で開口させる動作を行い、前記当否判定の結果として当りが得られ、この当りに対応する当り図柄として特定確変当り図柄が前記図柄表示装置に停止表示された場合には、前記大入賞口を前記所定の態様よりも短い期間だけ開口させる動作を行う大入賞口開口手段と、
遊技状態として、少なくとも、前記当否判定の結果が当りとなる確率が通常確率とされる非確変状態と、前記確率が高確率とされる確変状態と、を設定可能であり、前記確変当り図柄または前記特定確変当り図柄が前記図柄表示装置に停止表示されることで前記確変状態を設定する遊技状態設定手段と、
前記図柄表示装置と別に設けられた演出表示装置で所定の表示演出を実行する表示演出実行手段と、
を備えた遊技機であって、
前記表示演出実行手段は、
前記遊技状態が前記非確変状態または前記確変状態に設定されているときに、前記当否判定の結果として外れが得られ、この外れに対応する外れ図柄が前記図柄表示装置に停止表示される場合には、複数の演出用図柄が同一の図柄で揃わない表示演出を行い、
前記遊技状態が前記非確変状態または前記確変状態に設定されているときに、前記確変当り図柄が前記図柄表示装置に停止表示される場合には、複数の演出用図柄が同一の図柄で揃う表示演出を行い、
前記遊技状態が前記非確変状態に設定されているときに、前記特定確変当り図柄が前記図柄表示装置に停止表示される場合には、複数の演出用図柄が同一の図柄で揃わない表示演出と、遊技状態が有利に変化することを示す表示演出とを行い、
前記遊技状態が前記確変状態に設定されているときに、前記特定確変当り図柄が前記図柄表示装置に停止表示される場合には、複数の演出用図柄が同一の図柄で揃わない表示演出と、遊技状態が変化しないことを示す表示演出とを行う
ことを特徴とする遊技機。
【手続補正２】
【補正対象書類名】明細書
【補正対象項目名】０００９
【補正方法】変更
【補正の内容】
【０００９】
上述した課題の少なくとも一部を解決するために、本発明の遊技機は次の構成を採用した。すなわち、
閉鎖状態と開口状態とに切り換え可能な大入賞口と、
特別図柄の変動表示および停止表示が可能な図柄表示装置と、
前記特別図柄の当否判定を行う当否判定手段と、
前記当否判定の結果を受けて前記特別図柄の変動表示を開始する図柄変動開始手段と、
前記図柄表示装置にて変動表示中の特別図柄を、所定の変動時間が経過すると停止表示させる図柄変動停止手段と、
前記当否判定の結果として当りが得られ、この当りに対応する当り図柄として確変当り図柄が前記図柄表示装置に停止表示された場合には、前記大入賞口を所定の態様で開口させる動作を行い、前記当否判定の結果として当りが得られ、この当りに対応する当り図柄として特定確変当り図柄が前記図柄表示装置に停止表示された場合には、前記大入賞口を前記所定の態様よりも短い期間だけ開口させる動作を行う大入賞口開口手段と、
遊技状態として、少なくとも、前記当否判定の結果が当りとなる確率が通常確率とされる非確変状態と、前記確率が高確率とされる確変状態と、を設定可能であり、前記確変当り図柄または前記特定確変当り図柄が前記図柄表示装置に停止表示されることで前記確変状態を設定する遊技状態設定手段と、
前記図柄表示装置と別に設けられた演出表示装置で所定の表示演出を実行する表示演出実行手段と、
を備えた遊技機であって、
前記表示演出実行手段は、
前記遊技状態が前記非確変状態または前記確変状態に設定されているときに、前記当否判定の結果として外れが得られ、この外れに対応する外れ図柄が前記図柄表示装置に停止表示される場合には、複数の演出用図柄が同一の図柄で揃わない表示演出を行い、
前記遊技状態が前記非確変状態または前記確変状態に設定されているときに、前記確変当り図柄が前記図柄表示装置に停止表示される場合には、複数の演出用図柄が同一の図柄で揃う表示演出を行い、
前記遊技状態が前記非確変状態に設定されているときに、前記特定確変当り図柄が前記図柄表示装置に停止表示される場合には、複数の演出用図柄が同一の図柄で揃わない表示演出と、遊技状態が有利に変化することを示す表示演出とを行い、
前記遊技状態が前記確変状態に設定されているときに、前記特定確変当り図柄が前記図柄表示装置に停止表示される場合には、複数の演出用図柄が同一の図柄で揃わない表示演出と、遊技状態が変化しないことを示す表示演出とを行う
ことを特徴とする。
【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
被研磨部材を研磨パッド上に保持するヘッド部表面及びアーム部表面、スラリー供給管表面、並びに、装置本体内壁よりなる群から選択される少なくとも１つの被覆対象をフッ素樹脂により被覆したＣＭＰ装置であって、
フッ素樹脂による被覆は、該フッ素樹脂層と、フッ素樹脂以外の熱可塑性樹脂からなる熱可塑性樹脂層と、粘着剤層とがこの順に積層されてなる積層体を該粘着剤層により被覆対象に貼着させて行うものであり、
前記フッ素樹脂は、接着性フッ素樹脂である
ことを特徴とするＣＭＰ装置。
【請求項２】
装置本体内壁をフッ素樹脂により被覆したＣＭＰ装置であって、
フッ素樹脂による被覆は、該フッ素樹脂層と、フッ素樹脂以外の熱可塑性樹脂からなる熱可塑性樹脂層と、粘着剤層とがこの順に積層されてなる積層体を該粘着剤層により装置本体内壁に貼着させて行うものであり、
前記フッ素樹脂は、接着性フッ素樹脂である
ことを特徴とするＣＭＰ装置。
【請求項３】
接着性フッ素樹脂を構成する接着性含フッ素重合体は、カルボニル基、カルボニル基を含む基、エポキシ基、水酸基、アミノ基、シリル基、炭素−炭素二重結合、スルホン酸基、エーテル結合及びシアノ基よりなる群から選択される少なくとも１種の結合基を有する請求項１又は２記載のＣＭＰ装置。
【請求項４】
熱可塑性樹脂は、ポリアミド系樹脂である請求項１、２又は３記載のＣＭＰ装置。
【請求項５】
熱可塑性樹脂は、エチレン／ビニルアルコール樹脂である請求項１、２又は３記載のＣＭＰ装置。
【請求項６】
熱可塑性樹脂は、エポキシ変性ポリエチレン樹脂である請求項１、２又は３記載のＣＭＰ装置。
【請求項７】
フッ素樹脂層は、厚みが１〜２０μｍである請求項１、２、３、４、５又は６記載のＣＭＰ装置。
【手続補正書】
【提出日】平成24年10月18日(2012.10.18)
【手続補正１】
【補正対象書類名】明細書
【補正対象項目名】００５２
【補正方法】変更
【補正の内容】
【００５２】
上記傾斜案内面７の傾斜角度θ７は、上記平坦案内面６のワーク送り方向寸法Ｌ６に対応して設定されている。
【手続補正書】
【提出日】平成24年5月17日(2012.5.17)
【手続補正１】
【補正対象書類名】特許請求の範囲
【補正対象項目名】全文
【補正方法】変更
【補正の内容】
【特許請求の範囲】
【請求項１】
外部から吸引した含塵空気が流れ込む流入口と、
前記流入口から吸い込まれた含塵空気を旋回させることで前記含塵空気から塵埃を分離する旋回室と、
前記旋回室の下方に設けられた開口部から、前記旋回室によって分離された塵挨を捕集するダストケースと、
前記旋回室によって少なくとも一部の塵埃が分離された空気を排出する排出口を有するサイクロン部を備え、
前記サイクロン部に搭載される前記ダストケースは、その水平断面形状旋回室の中央軸に垂直な断面が頂角を有する形状であることを特徴とするサイクロン分離装置。
【請求項２】
前記ダストケースは、前記角部を２箇所所有し、Ｄ形状に成形されてなることを特徴とする請求項１に記載のサイクロン分離装置。
【請求項３】
前記ダストケースは、その上端が前記開口部よりも上方まで延在するよう形成されてなることを特徴とする請求項１または請求項２に記載のサイクロン分離装置。
【請求項４】
前記請求項１〜３のいずれかに記載のサイクロン分離装置を搭載したことを特徴とする電気掃除機。
【手続補正２】
【補正対象書類名】明細書
【補正対象項目名】０００７
【補正方法】変更
【補正の内容】
【０００７】
本発明によるサイクロン分離装置は、外部から吸引した含塵空気が流れ込む流入口と、前記流入口から吸い込まれた含塵空気を旋回させることで前記含塵空気から塵埃を分離する旋回室と、前記旋回室の下方に設けられた開口部から、前記旋回室によって分離された塵挨を捕集するダストケースと、前記旋回室によって少なくとも一部の塵埃が分離された空気を排出する排出口を有するサイクロン部を備え、前記サイクロン部に搭載される前記ダストケースは、その水平断面形状旋回室の中央軸に垂直な断面が頂角を有する形状であるものである。
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
自律型清掃装置であって、
サイドブラシと、
メインブラシと、
デブリ容器と、
前記サイドブラシ、メインブラシ、およびデブリ容器を支持するシャーシと、
前記メインブラシとデブリ容器の間に配置される圧電センサと、を備え、
前記サイドブラシは、粒子を清掃面から前記メインブラシへ向かわせるよう動作し、
前記メインブラシは、前記粒子を前記デブリ容器に向かわせるよう動作し、
前記メインブラシから前記デブリ容器へと移動する粒子の衝突が前記圧電センサによって検出可能である、自律型清掃装置。
【請求項２】
前記シャーシは、外周を規定し、
前記サイドブラシは、前記シャーシの外周より外側の粒子を取り込むよう配置される、請求項１に記載の自律型清掃装置。
【請求項３】
前記シャーシに支持される駆動システムをさらに備え、
前記駆動システムは、前記シャーシを実質的に対称な右半分および左半分に分ける前後軸に沿って移動するよう動作し、
前記サイドブラシは、前記シャーシの前方部分に沿って、前記右半分または左半分に配置される、請求項１または２に記載の自律型清掃装置。
【請求項４】
前記サイドブラシは、前記清掃装置の主要側に配置される、請求項３に記載の自律型清掃装置。
【請求項５】
前記メインブラシは、前記サイドブラシの後方であって、前記右半分および左半分上にある、請求項３に記載の自律型清掃装置。
【請求項６】
前記シャーシは、真空入口を規定し、
前記メインブラシは、前記真空入口の前方に配置される、請求項１から５のいずれか一項に記載の自律型清掃装置。
【請求項７】
前記デブリ容器は、前記メインブラシの後方に配置され、前記シャーシから取り外し可能である、請求項１から６のいずれか一項に記載の自律型清掃装置。
【請求項８】
前記駆動システムは、前記圧電センサ上のデブリの衝突を表わす信号に少なくとも一部は基づいて、前記清掃装置の動きを調整する、請求項３に記載の自律型清掃装置。
【請求項９】
前記シャーシに支持される、反回転フラッパをさらに備え、
前記反回転フラッパは、該反回転フラッパと前記メインブラシとが前記粒子を前記デブリ容器に向かわせるように、前記メインブラシと接する、請求項１から８のいずれか一項に記載の自律型清掃装置。
【請求項１０】
前記メインブラシと前記圧電センサは、それらの間に軸を規定し、
前記メインブラシは、前記軸に沿って前記圧電センサに向かう方向に粒子を動かすよう動作可能である、請求項１から９のいずれか一項に記載の自律型清掃装置。
【請求項１１】
前記圧電センサは、前記清掃装置が前記清掃面を移動する場合に、前記メインブラシの上にある、請求項１から１０のいずれか一項に記載の自律型清掃装置。
【請求項１２】
前記粒子の量または体積パラメータを表わす信号を生成するために、前記圧電センサからの粒子の衝突を示す信号を処理するプロセッサをさらに備える、請求項１から１１のいずれか一項に記載の自律型清掃装置。
【請求項１３】
自律型清掃装置であって、
それぞれモータを備える右車輪アセンブリおよび左車輪アセンブリからなる駆動システムと、
サイドブラシと、
メインブラシと、
デブリ容器と、
前記駆動システム、前記サイドブラシ、前記メインブラシ、および前記デブリ容器を支持するシャーシと、
前記メインブラシとデブリ容器の間に配置されるデブリセンサと、を備え、
前記サイドブラシは、粒子を清掃面から前記メインブラシへ向かわせるよう動作し、
前記メインブラシは、前記粒子を前記デブリ容器に向かわせるよう動作し、
前記メインブラシから前記デブリ容器へ向かわされる粒子が前記デブリセンサによって検出可能であり、
前記駆動システムは、前記デブリセンサによって検出された前記粒子を表わす信号に少なくとも一部は基づいて、前記清掃装置の動きを調整する、自律型清掃装置。
【請求項１４】
前記右車輪アセンブリおよび前記左車輪アセンブリのいずれか、または両方の速度は、前記デブリセンサにより検出された前記粒子を表わす信号に少なくとも一部は基づいて変更可能である、請求項１３に記載の自律型清掃装置。
【請求項１５】
前記駆動システムは、前記デブリセンサにより検出された前記粒子を表わす信号に少なくとも一部は基づいて、前記シャーシを操縦する、請求項１３または１４に記載の自律型清掃装置。
【請求項１６】
前記粒子の量または体積パラメータを表わす信号を生成するため、前記デブリセンサからの信号を処理するよう動作可能なプロセッサをさらに備える、請求項１３から１５のいずれか一項に記載の自律型清掃装置。
【手続補正書】
【提出日】平成24年7月25日(2012.7.25)
【手続補正１】
【補正対象書類名】特許請求の範囲
【補正対象項目名】全文
【補正方法】変更
【補正の内容】
【特許請求の範囲】
【請求項１】
肛門失禁を治療するためのシステムであって、該システムは、
膨張可能な嚢を有する中央部分と、該中央部分から延びる少なくとも２つのアームとを含むスリングと
を備え、該中央部分は、被験者の直腸および／または肛門の後方に配置されるように構成されており、
該スリングの各アームは、それぞれの閉鎖部分まで延びるのに十分な長さのメッシュストラップを備え、
該スリングの該中央部分は、肛門、直腸、肛門直腸角度、および／または肛門挙筋の外部輪郭に整合する形状を有する、システム。
【請求項２】
前記メッシュストラップの各々が、それぞれの閉鎖孔領域を通って延びるように構成される、請求項１に記載のシステム。
【請求項３】
前記メッシュストラップの各々が、前記それぞれの閉鎖孔を取り囲む骨のそれぞれの部分まで延びるように構成される、請求項２に記載のシステム。
【請求項４】
各アームを前記骨に取り付けるための、該アームに取り付けられた少なくとも１つの骨アンカをさらに備える、請求項３に記載のシステム。
【請求項５】
前記骨は、坐骨粗面または坐骨恥骨枝である、請求項４に記載のシステム。
【請求項６】
前記メッシュストラップの各々が、被験者の皮膚まで延びるように構成される、請求項１に記載のシステム。
【請求項７】
被験者の肛門と尾骨との間に切開を作るための手段、および該切開を通して前記スリングを位置付けるための針をさらに備える、請求項１に記載のシステム。
【請求項８】
前記メッシュストラップの各々が、それぞれの閉鎖孔を通って延びるように構成される、請求項７に記載のシステム。
【請求項９】
前記針が、アームの端を該針に取り付けるための把持器具を備える、請求項８に記載のシステム。
【請求項１０】
前記アームの端は、フィラメントを備える、請求項９に記載のシステム。
【請求項１１】
前記フィラメントは縫糸を備える、請求項１０に記載のシステム。
【請求項１２】
腿の切開を通して、それぞれの閉鎖孔を通して、それぞれの坐骨直腸窩の中へ、そして前記肛門と前記尾骨との間の前記切開を通して外に前進させるような構造のスタイレットをさらに備え、該スタイレットは、前記スリングのアームへの取り付けのための取り付け部分を含む、請求項７に記載のシステム。
【請求項１３】
腿の切開を通して、そしてそれぞれの閉鎖孔を通して前進させるような構造のスタイレットをさらに備え、該スタイレットは、前記スリングのアームへの取り付けのための取り付け部分を含む、請求項１に記載のシステム。
【請求項１４】
前記アームは、前記スタイレットの前記取り付け部分に取り付け可能なフィラメントの端を備える、請求項１３に記載のシステム。
【請求項１５】
前記フィラメントの端は、縫糸を備える、請求項１４に記載のシステム。
【請求項１６】
前記スリングのアームは、合成メッシュ材料から形成され、前記中央部分は、天然材料から形成される、請求項１に記載のシステム。
【請求項１７】
患者の肛門直腸の角度を測定するための測定デバイスをさらに備える、請求項１に記載のシステム。
【請求項１８】
前記測定デバイスは、肛門直腸の角度を表示するための視覚的目盛りを備える、請求項１７に記載のシステム。
【請求項１９】
前記スリングの中央部分は、湾曲した形状以外の形状を有する、請求項１に記載のシステム。
【請求項２０】
前記膨張可能な嚢は、該嚢を膨張させるため、および／または収縮させるためのポートをさらに備える、請求項１に記載のシステム。
【請求項２１】
前記中央部分は、前記形状に予め形成される、請求項１に記載のシステム。
【請求項２２】
少なくとも一つのアームは、張力のない膣テープで形成されている、請求項１に記載のシステム。
【請求項２３】
請求項１に記載のシステムであって、前記膨張可能な嚢は、そこから延びる少なくとも２つの前記アームに取り付けられており、該少なくとも２つのアームはメッシュまたは張力のない膣テープで形成されており、該膨張可能な嚢は、対応する複数のアクセスポートにより別々に満たされるような構造の複数の区画を備える、システム。
【請求項２４】
請求項１に記載のシステムであって、前記アームの各々が、患者内への移植後の位置に前記スリングを維持するような構造の刻みを備える、システム。
【請求項２５】
請求項１に記載のシステムであって、前記中央部分が、該中央部分が肛門直腸の下で丸まることを防止するような構造の、１または複数の丸まり防止要素を備える、請求項１に記載のシステム。
【請求項２６】
前記１または複数の丸まり防止要素は、前記スリングの長さを実質的に横断する向きで前記中央部分に取り付けられる、請求項２５に記載のシステム。
【手続補正書】
【提出日】平成24年7月2日(2012.7.2)
【手続補正１】
【補正対象書類名】特許請求の範囲
【補正対象項目名】全文
【補正方法】変更
【補正の内容】
【特許請求の範囲】
【請求項１】
当特許出願は、一般土木建設測量作業等で使用される、土地及び道路等に設置する境界点プレート標を正確に永年保存するため、アンカーボルトでプレート標を接着ボンド等で、固定していますが取付下地がコンクリートやアスファルト面のため、ドリルで正確な位置にアンカーボルト用の穴を開けることが困難です。尚、現在のプレート標の大きさ（４ｃｍ〜５ｃｍ平方米）と小さい為、固定がむずかしく、位置の擦れ等により正確な穴を開けることができません。
【請求項２】
私が考案した、（境界点プレート標固定定規）を測点に設定し、アンカーボルト用の穴を開け、プレート標を正確に設置できる。
【請求項３】
当プレート標は中央部の固定定規と左右上下の各隅々の４箇所に現場に応じた、角定規を設けているので、すべての現場に対応できる。
【手続補正２】
【補正対象書類名】明細書
【補正対象項目名】０００４
【補正方法】変更
【補正の内容】
【０００４】全体図及び部分図（平面、透視、断面、構造、）に区分表示。【図１】１段目、接地面金属板プレート用型枠平面図。
【図２】プレート標固定定規の横断面図。
【図３】２段目は１段目のプレート用型枠押及び中央部のスライド式プレート固定用レール押平面図。
【図４】中央部プレート固定用調整金具及びスライド式レール押とアンカーボルト用指示穴等の平面図。
【図５】プレート標固定定規の最終横断面図。
【図６】中央部のスライド式移動つまみ平面図。
【手続補正３】
【補正対象書類名】明細書
【補正対象項目名】０００５
【補正方法】変更
【補正の内容】
【０００５】▲１▼  １段目で接地面型枠の４箇所プレート挿入切込スペース金具。
▲２▼  １段目の中央部はプレート標挿入切込みスペースでプレートをスライド固定する。
▲３▼  型枠の固定用足踏スベリ止め金具
▲４▼  １段目の型枠で各４箇所共にプレート標固定スペースとした。
▲５▼  ２段目の型枠は、各４箇所のプレート標押えとアンカーボルト穴の指示スペース。
▲６▼  中央部分のプレート標スライド式移動用レール押え金具。
▲７▼  プレート標スライド式移動固定用金具。
▲８▼  スライド式固定定規の移動用つまみ金具。
▲９▼  スライド式固定定規のスライド止め金具。
【手続補正４】
【補正対象書類名】図面
【補正対象項目名】全図
【補正方法】変更
【補正の内容】
【図１】
2012181179.tif 000001
【図２】
2012181179.tif 000002
【図３】
2012181179.tif 000003
【図４】
2012181179.tif 000004
【図５】
2012181179.tif 000005
【図６】
2012181179.tif 000006
【手続補正書】
【提出日】平成24年10月12日(2012.10.12)
【手続補正１】
【補正対象書類名】特許請求の範囲
【補正対象項目名】全文
【補正方法】変更
【補正の内容】
【特許請求の範囲】
【請求項１】
インターネットを介して外部のサーバーに接続されている外部装置の通信部と無線通信を行うとともに、前記無線通信の変調方式とは異なる変調方式で外部の送受信回路と近接無線通信を行う携帯通信装置であって、
情報処理部と、
前記情報処理部からの命令を受信すると、前記携帯通信装置のアンテナを介して外部の送受信回路と近接無線通信を行うことにより、前記外部の送受信回路の記憶部に記憶されている識別情報を含む受信信号を、前記外部の送受信回路から受信する第１の通信部と、
前記受信信号から識別情報を再生する再生部と、
前記再生部で再生された識別情報を前記外部装置の通信部および前記インターネットを介して前記サーバーへ送信し、前記サーバーから、前記サーバーの記憶部に記憶された、前記識別情報に関連づけられた関連情報を前記インターネットおよび前記外部装置の通信部を介して受信する第２の通信部と、
前記第２の通信部によって受信された関連情報をデコードすることにより、前記識別情報に対応する画像データを生成する画像デコーダと、
前記画像デコーダによって生成された画像データを表示する表示部と
を備える携帯通信装置。
【請求項２】
前記第１の通信部による前記近接無線通信は、１３．５ＭＨｚの近傍の周波数帯を用いる、請求項１に記載の携帯通信装置。
【請求項３】
前記携帯通信装置は、前記近接無線通信を介して前記外部の送受信回路に電力を供給し、この電力により、前記識別情報を含む受信信号が前記外部の送受信回路の記憶部から読み出され、前記携帯通信装置に送信される、請求項１に記載の携帯通信装置。
【手続補正書】
【提出日】平成24年8月15日(2012.8.15)
【手続補正１】
【補正対象書類名】特許請求の範囲
【補正対象項目名】全文
【補正方法】変更
【補正の内容】
【特許請求の範囲】
【請求項１】
固体撮像素子の光電変換部に被写体像を結像させるための撮像レンズであって、
物体側より順に、
正の屈折力を有し物体側に凸面を向けた第１レンズと、
負の屈折力を有し像側に凹面を向けた第２レンズと、
正または負の屈折力を有する第３レンズと、
正の屈折力を有し像側に凸面を向けた第４レンズと、
負の屈折力を有し像側に凹面を向けた第５レンズと、
からなり、
前記第５レンズの像側面は非球面形状を有し、光軸との交点以外の位置に変曲点を有することを特徴とする撮像レンズ。
【手続補正書】
【提出日】平成24年6月12日(2012.6.12)
【手続補正１】
【補正対象書類名】明細書
【補正対象項目名】発明の名称
【補正方法】変更
【補正の内容】
【発明の名称】画像消去方法及び画像形成装置
【手続補正２】
【補正対象書類名】明細書
【補正対象項目名】０００８
【補正方法】変更
【補正の内容】
【０００８】
実施形態によれば、バインダー樹脂、電子供与性呈色剤、及び電子受容性顕色剤及び温度コントロール剤をマイクロカプセル化した色材を含む消去可能な現像剤を用いて、現像、転写、及び定着することにより被転写材上に形成された画像を消去する方法であって、
前記画像のトナー付着量は０．５０ｍｇ／ｃｍ２〜０．７５ｍｇ／ｃｍ２であり、前記現像剤を用いて画像が形成された被転写材を現像剤を定着する温度以上の温度で、１０秒以内の時間加熱して画像の消色を行なって、画像消色後の該被転写材表面において消色された画像領域と画像が形成されない領域との色差ΔＥを５以下にする画像消去方法が提供される。
【手続補正３】
【補正対象書類名】特許請求の範囲
【補正対象項目名】全文
【補正方法】変更
【補正の内容】
【特許請求の範囲】
【請求項１】
バインダー樹脂と、電子供与性呈色剤、電子受容性顕色剤及び温度コントロール剤をマイクロカプセル化した色材とを含む消去可能な現像剤を用いて、現像、転写、及び定着することにより被転写材上に形成された画像を消去する方法であって、
前記画像のトナー付着量は０．５０ｍｇ／ｃｍ２〜０．７５ｍｇ／ｃｍ２であり、前記現像剤を用いて画像が形成された被転写材を現像剤を定着する温度以上の温度で、１０秒以内の時間加熱して画像の消色を行なって、画像消色後の該被転写材表面において消色された画像領域と画像が形成されない領域との色差ΔＥを５以下にする画像消去方法。
【請求項２】
前記被転写材として、画像の形成を３回及び画像の消色を３回行なった被転写材に４回目の画像を形成した被転写材を適用し、４回目の消色を行って、前記色差ΔＥを５以下にする請求項１に記載の方法。
【請求項３】
前記消色された画像領域の画像濃度が０．２以下である請求項１に記載の方法。
【請求項４】
前記消色された画像領域の光沢度は、１５以下である請求項１に記載の方法。
【請求項５】
原稿の画像を読み取る読取部と、
前記読取部によって読み取った画像を、バインダー樹脂と、電子供与性呈色剤、及び電子受容性顕色剤及び温度コントロール剤をマイクロカプセル化した色材とを含み、トナー付着量が０．５０ｍｇ／ｃｍ２〜０．７５ｍｇ／ｃｍ２で、前記現像剤を用いて画像が形成された被転写材を現像剤が定着する温度以上の温度で、１０秒以内の時間加熱して画像の消色を行なって、画像消色後の被転写材表面において消色された画像領域と画像が形成されない領域との色差ΔＥが５以下となる、消去可能な現像剤を用いて、被転写材に画像形成する画像形成部と、
前記画像形成部にて、画像形成された被転写材を排出する排紙部と、
を備えることを特徴とする画像形成装置。
【請求項６】
前記被転写材として、画像の形成を３回及び画像の消色を３回行なった被転写材に４回目の画像を形成した被転写材を適用し、４回目の消色を行って、前記色差ΔＥを５以下にする請求項５に記載の画像形成装置。
【請求項７】
前記消色された画像領域の画像濃度が０．２以下である請求項５に記載の画像形成装置。
【請求項８】
前記消色された画像領域の光沢度は、１５以下である請求項５に記載の画像形成装置。
【手続補正書】
【提出日】平成23年11月15日(2011.11.15)
【手続補正１】
【補正対象書類名】特許請求の範囲
【補正対象項目名】請求項１
【補正方法】変更
【補正の内容】
【請求項１】
植物繊維その他の繊維を主成分とする紙質フィルム層と、
合成樹脂を主成分とするコートフィルム層と、
前記紙質フィルム層の表面側に前記コートフィルム層を接着する貼着剤層３と、
前記紙質フィルム層の裏面側に形成され障子の桟に接着する接着層４と、
から構成される障子紙であって、
前記紙質フィルム層は和紙基材で形成され、
前記コートフィルム層は透光性を有する樹脂基材で形成され
前記接着層は熱溶融性接着剤で形成され、
前記コートフィルム層は前記紙質フィルム層より破裂強度と撥水性がいずれも高くなるように構成され、
前記接着層は前記コートフィルム層及び前記貼着剤層より熱溶融温度が低い材料で構成され、
前記コートフィルム層の表裏面の少なくとも片面は艶消し面で構成されていることを特徴とする障子紙。
【手続補正２】
【補正対象書類名】明細書
【補正対象項目名】００１６
【補正方法】変更
【補正の内容】
【００１６】
なお、本発明にあって障子紙の外表面とは建造物の外部に面する表面を、内表面とは建造物の室内に面する表面を云う。
そこで本発明は上記課題を達成するため、植物繊維その他の繊維状物質を含有する紙質フィルム層の外表面側に合成樹脂を主成分とするコートフィルム層を貼着剤で接着し、この紙質フィルム層の内表面側に障子の桟に接着する接着層を形成する。このときコートフィルム層は紙質フィルム層より破裂強度と撥水性が高くなるように構成し、上記接着層は熱溶融性接着剤で上記コートフィルム層と貼着剤層より熱溶融温度が低い材料で構成する。そして上記コートフィルム層の表裏面の少なくとも片面は艶消し面で構成されていることを特徴としている。
【手続補正３】
【補正対象書類名】明細書
【補正対象項目名】００２７
【補正方法】変更
【補正の内容】
【００２７】
更に本発明は、障子の桟に貼着した状態で家屋の室内からは紙質フィルム層が樹脂のコートフィルム層で覆われることがないから、紙の風合いと質感を損なうことが比較的少ない。また、家屋外部からの外表面はコートフィルム層の表裏面の少なくとも一方は艶消し面で構成されているから樹脂フィルム特有の光沢度でテカルことがない。
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
筐体と、
前記筐体内に防振支持され、内部に洗濯水を貯留する外槽と、
前記外槽内に回転自在に支持され、衣類が収容される回転ドラムと、
前記回転ドラムを回転駆動させるモータと、
前記回転ドラム内に給水する給水手段と、
投入された洗剤に給水し高濃度の洗剤液を生成する高濃度洗剤液生成手段と、
前記モータ、前記給水手段および前記高濃度洗剤液生成手段を制御して、洗濯運転および／または乾燥運転を実行可能な制御装置と、を備える洗濯乾燥機であって、
ファン羽根車および駆動用のファンモータを有する送風ユニットと、
該送風ユニットで発生させた風を前記回転ドラム内に吹き出す吹き出し口と、を備え、
該吹き出し口の上流側へ前記高濃度洗剤液生成手段で生成した高濃度洗剤液を供給する洗剤液供給手段を有する
ことを特徴とする洗濯乾燥機。
【請求項２】
筐体と、
前記筐体内に防振支持され、内部に洗濯水を貯留する外槽と、
前記外槽内に回転自在に支持され、衣類が収容される回転ドラムと、
前記回転ドラムを回転駆動させるモータと、
前記回転ドラム内に給水する給水手段と、
投入された洗剤に給水し高濃度の洗剤液を生成する高濃度洗剤液生成手段と、
前記モータ、前記給水手段および前記高濃度洗剤液生成手段を制御して、洗濯運転および／または乾燥運転を実行可能な制御装置と、を備える洗濯乾燥機であって、
前記乾燥運転中に、前記回転ドラムに収容された衣類に直接、該衣類のしわを伸ばす風量及び風速を有する送風吹付手段を備え、
該送風吹付手段は、
送風手段、該送風手段の吐き出し側に設けられた風の加熱手段、および、該加熱手段の下流側に設けられたノズルを有し、
前記ノズルの上流側へ前記高濃度洗剤液生成手段で生成した高濃度洗剤液を供給する洗剤液供給手段を有する
ことを特徴とする洗濯乾燥機。
【請求項３】
筐体と、
前記筐体内に防振支持され、内部に洗濯水を貯留する外槽と、
前記外槽内に回転自在に支持され、衣類が収容される回転ドラムと、
前記回転ドラムを回転駆動させるモータと、
前記外槽内に給水する給水手段と、
投入された洗剤に給水し高濃度の洗剤液を生成する高濃度洗剤液生成手段と、
送風手段、該送風手段の吐き出し側に設けられたノズルを有し、乾燥運転中に、前記回転ドラムに収容された衣類に直接、該衣類のしわを伸ばす風量及び風速を有する送風吹付手段と、
前記ノズルの上流側へ前記高濃度洗剤液生成手段で生成した高濃度洗剤液を供給する洗剤液供給手段と、
前記モータ、前記給水手段、前記送風手段、前記高濃度洗剤液生成手段、および、前記洗剤液供給手段を制御して、洗濯運転および／または乾燥運転を実行可能な制御装置と、
を備える洗濯乾燥機であって、
前記制御装置は、前記洗濯運転において、
洗い給水の前に、前記モータを正逆回転させ、前記送風手段、前記高濃度洗剤液生成手段、前記洗剤液供給手段を運転し、衣類にミスト状の洗剤液を散布・浸透させ、
その後、前記給水手段を制御して前記外槽内に給水し、洗い工程を実行する
ことを特徴とする洗濯乾燥機。
【請求項４】
筐体と、
前記筐体内に防振支持され、内部に洗濯水を貯留する外槽と、
前記外槽内に回転自在に支持され、衣類が収容される回転ドラムと、
前記回転ドラムを回転駆動させるモータと、
前記外槽内に給水する給水手段と、
投入された洗剤に給水し高濃度の洗剤液を生成する高濃度洗剤液生成手段と、
送風手段、該送風手段の吐き出し側に設けられた風の加熱手段、および、該加熱手段の下流側に設けられたノズルを有し、乾燥運転中に、前記回転ドラムに収容された衣類に直接、該衣類のしわを伸ばす風量及び風速を有する送風吹付手段と、
前記ノズルの上流側へ前記高濃度洗剤液生成手段で生成した高濃度洗剤液を供給する洗剤液供給手段と、
前記モータ、前記給水手段、前記送風手段、前記加熱手段、前記高濃度洗剤液生成手段、および、前記洗剤液供給手段を制御して、洗濯運転および／または乾燥運転を実行可能な制御装置と、を備える洗濯乾燥機であって、
前記制御装置は、前記洗濯運転において、
洗い給水の前に、前記モータを正逆回転させ、前記送風手段、前記加熱手段、前記高濃度洗剤液生成手段、前記洗剤液供給手段を運転し、衣類に高温のミスト状の洗剤液を散布・浸透させ、
その後、前記給水手段を制御して前記外槽内に給水し、洗い工程を実行する
ことを特徴とする洗濯乾燥機。
【請求項５】
筐体と、
前記筐体内に防振支持され、内部に洗濯水を貯留する外槽と、
前記外槽内に回転自在に支持され、衣類が収容される回転ドラムと、
前記回転ドラムを回転駆動させるモータと、
前記外槽内に給水する給水手段と、
投入された洗剤に給水し高濃度の洗剤液を生成する高濃度洗剤液生成手段と、
送風手段、該送風手段の吐き出し側に設けられた風の加熱手段、および、該加熱手段の下流側に設けられたノズルを有し、乾燥運転中に、前記回転ドラムに収容された衣類に直接、該衣類のしわを伸ばす風量及び風速を有する送風吹付手段と、
前記ノズルの上流側へ前記高濃度洗剤液生成手段で生成した高濃度洗剤液を供給する洗剤液供給手段と、
前記モータ、前記給水手段、前記送風手段、前記加熱手段、前記高濃度洗剤液生成手段、および、前記洗剤液供給手段を制御して、洗濯運転および／または乾燥運転を実行可能な制御装置と、を備える洗濯乾燥機であって、
前記制御装置は、前記洗濯運転において、
洗い給水の前に、前記モータを正逆回転させ、前記送風手段、前記加熱手段を運転し、衣類を加温し、
その後、前記高濃度洗剤液生成手段、前記洗剤液供給手段を運転し、衣類に高温のミスト状の洗剤液を散布・浸透させ、
その後、前記給水手段を制御して前記外槽内に給水し、洗い工程を実行する
ことを特徴とする洗濯乾燥機。     
【手続補正２】
【補正対象書類名】明細書
【補正対象項目名】０００８
【補正方法】変更
【補正の内容】
【０００８】
このような課題を解決するために、請求項１に係る洗濯乾燥機は、筐体と、前記筐体内に防振支持され、内部に洗濯水を貯留する外槽と、前記外槽内に回転自在に支持され、衣類が収容される回転ドラムと、前記回転ドラムを回転駆動させるモータと、前記回転ドラム内に給水する給水手段と、投入された洗剤に給水し高濃度の洗剤液を生成する高濃度洗剤液生成手段と、前記モータ、前記給水手段および前記高濃度洗剤液生成手段を制御して、洗濯運転および／または乾燥運転を実行可能な制御装置と、を備える洗濯乾燥機であって、ファン羽根車および駆動用のファンモータを有する送風ユニットと、該送風ユニットで発生させた風を前記回転ドラム内に吹き出す吹き出し口とを備え、該吹き出し口の上流側へ前記高濃度洗剤液生成手段で生成した高濃度洗剤液を供給する洗剤液供給手段を有することを特徴とする。